【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態で、前記近接あるいは当接した成形品間の対向面によって形成された隙間の中へ溶融樹脂を注入し結合する構成において、
前記結合部までの溶融樹脂の注入流路を、近接あるいは当接した対向面の隙間を形成した各々の成形部品の一方が形成していることを特徴とする合成樹脂製の部品結合体。
【請求項２】
夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態で、前記近接あるいは当接した成形品間の対向面によって形成された隙間の中へ溶融樹脂を注入し結合する構成において、
前記結合部までの溶融樹脂の注入流路を、第三枠体、第四枠体が形成していることを特徴とする合成樹脂製の部品結合体。
【請求項３】
近接あるは当接した成形品間の対向面によって形成された隙間までの溶融樹脂の注入流路を、近接あるいは当接している成形部品のどちらか一方が形成しその流路は、近接あるいは当接した成形品間の対向面によって形成された隙間と、近接あるいは当接した成形品間の対向面によって形成された隙間の樹脂流動方向に対し直角方向でかつ成形品どうしを仮結合する際の組み付け方向である成形品の外部側との間を貫通させた構成としたことを特徴とする請求項１また２に記載の合成樹脂製の部品結合体。
【請求項４】
画像形成装置本体に着脱可能なプロセスカートリッジにおいて、
電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成であって、
前記結合部までの溶融樹脂の注入流路を、結合した近接あるいは当接した成形品間の対向面によって形成された隙間を形成する各々の成形部品の一方が形成していることを特徴とするプロセスカートリッジ。
【請求項５】
画像形成装置本体に着脱可能なプロセスカートリッジにおいて、
電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、  前記結合部までの溶融樹脂の注入流路を、第三枠体、第四枠体が形成していることを特徴とするプロセスカートリッジ。
【請求項６】
前記枠体が、近接あるいは当接した成形品間の対向面によって形成された隙間までの溶融樹脂の注入流路を、近接あるいは当接している成形部品のどちらか一方が形成しその流路は、近接あるいは当接した成形品間の対向面によって形成された隙間と、近接あるいは当接した成形品間の対向面によって形成された隙間の樹脂流動方向に対し直角方向でかつ成形品どうしを仮結合する際の組み付け方向である成形品の外部側との間を貫通させた構成としたことを特徴とする請求項４また５に記載のプロセスカートリッジ。
【請求項７】
画像形成装置本体に着脱可能なプロセスカートリッジにおいて、
電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、
近接あるいは当接した成形品間の対向面によって形成された隙間に樹脂を注入する際、溶融樹脂によって結合する部位は近接あるいは当接した成形品間の対向面によって形成された隙間全周でないことを特徴とするプロセスカートリッジ。
【請求項８】
画像形成装置本体に着脱可能なプロセスカートリッジにおいて、
電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、
近接あるいは当接した成形品間の対向面によって形成された隙間に樹脂を注入する際、溶融樹脂によって結合する部位は近接あるいは当接した成形品間の対向面によって形成された隙間全周でないことを特徴とするプロセスカートリッジ。
【請求項９】
前記枠体が、近接あるいは当接した成形品間の対向面によって形成された隙間において樹脂流動方向にほぼ直角に流路をさえぎるためのリブがあることを特徴とする請求項７又は８に記載のプロセスカートリッジ。
【請求項１０】
プロセスカートリッジを着脱可能で記録媒体に画像を形成する電子写真画像形成装置において、
ａ．電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成であって、
前記結合部までの溶融樹脂の注入流路を、結合した近接あるいは当接した成形品間の対向面によって形成された隙間を形成する各々の成形部品の一方が形成しているプロセスカートリッジを取り外し可能に装着する装着手段と、
ｂ．記録媒体を搬送するための搬送手段と、
を有することを特徴とする電子写真画像形成装置。
【請求項１１】
プロセスカートリッジを着脱可能で記録媒体に画像を形成する電子写真画像形成装置において、
ａ．電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、
前記結合部までの溶融樹脂の注入流路を第三枠体、第四枠体が形成しているプロセスカートリッジを取り外し可能に装着する装着手段と、
ｂ．記録媒体を搬送するための搬送手段と、
を有することを特徴とする電子写真画像形成装置。
【請求項１２】
前記枠体が、近接あるいは当接した成形品間の対向面によって形成された隙間までの溶融樹脂の注入流路を、近接あるいは当接している成形部品のどちらか一方が形成しその流路は、近接あるいは当接した成形品間の対向面によって形成された隙間と、近接あるいは当接した成形品間の対向面によって形成された隙間の樹脂流動方向に対し直角方向でかつ成形品どうしを結合する際の組み付け方向である成形品の外部側との間を貫通させた構成としたことを特徴とする請求項１０または１１に記載の電子写真画像形成装置。
【請求項１３】
画像形成装置本体に着脱可能なプロセスカートリッジを着脱可能で記録媒体に画像を形成する電子写真画像形成装置において、
ａ．電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、
近接あるいは当接した成形品間の対向面によって形成された隙間に樹脂を注入する際、溶融樹脂によって結合する部位は近接あるいは当接した成形品間の対向面によって形成された隙間全周でないプロセスカートリッジを取り外し可能に装着する装着手段と、
ｂ．記録媒体を搬送するための搬送手段と、
を有することを特徴とする電子写真画像形成装置。
【請求項１４】
画像形成装置本体に着脱可能なプロセスカートリッジを着脱可能で記録媒体に画像を形成する電子写真画像形成装置において、
ａ．電子写真感光体ドラムと、
電子写真感光体ドラムに作用するプロセス手段と、
電子写真感光体ドラム又はプロセス手段を支持する複数の成形品を接合してなる枠体と、を有し、
前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、
近接あるいは当接した成形品間の対向面によって形成された隙間に樹脂を注入する際、溶融樹脂によって結合する部位は近接あるいは当接した成形品間の対向面によって形成された隙間全周でないプロセスカートリッジを取り外し可能に装着する装着手段と、
ｂ．記録媒体を搬送するための搬送手段と、
を有することを特徴とする電子写真画像形成装置。
【請求項１５】
前記枠体が、近接あるいは当接した成形品間の対向面によって形成された隙間において樹脂流動方向にほぼ直角に流路をさえぎるためのリブがあることを特徴とする請求項１３又は１４に記載の電子写真画像形成装置。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
本出願に係る第４の発明は画像形成装置本体に着脱可能なプロセスカートリッジにおいて、電子写真感光体ドラムと、電子写真感光体ドラムに作用するプロセス手段と、電子写真感光体ドラム又はプロセス手段を支持する複数の成形品を接合してなる枠体と、を有し、前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成であって、前記結合部までの溶融樹脂の注入流路を結合した近接あるいは当接した成形品間の対向面によって形成された隙間を形成する、各々の成形部品の一方が形成していることを特徴とするプロセスカートリッジである。


【手続補正５】
【補正対象書類名】明細書
【補正対象項目名】００２０
【補正方法】変更
【補正の内容】
【００２０】
本出願に係る第５発明は画像形成装置本体に着脱可能なプロセスカートリッジにおいて、電子写真感光体ドラムと、電子写真感光体ドラムに作用するプロセス手段と、電子写真感光体ドラム又はプロセス手段を支持する複数の成形品を接合してなる枠体と、を有し、前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、前記結合部までの溶融樹脂の注入流路を、第三枠体、第四枠体が形成していることを特徴とするプロセスカートリッジである。


【手続補正６】
【補正対象書類名】明細書
【補正対象項目名】００２１
【補正方法】変更
【補正の内容】
【００２１】
本出願に係る第７発明は画像形成装置本体に着脱可能なプロセスカートリッジにおいて、電子写真感光体ドラムと、電子写真感光体ドラムに作用するプロセス手段と、電子写真感光体ドラム又はプロセス手段を支持する複数の成形品を接合してなる枠体と、を有し、前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、近接あるいは当接した成形品間の対向面によって形成された隙間に樹脂を注入する際、溶融樹脂によって結合する部位は近接あるいは当接した成形品間の対向面によって形成された隙間全周でないことを特徴とするプロセスカートリッジである。


【手続補正７】
【補正対象書類名】明細書
【補正対象項目名】００２２
【補正方法】変更
【補正の内容】
【００２２】
本出願に係る第８の発明は画像形成装置本体に着脱可能なプロセスカートリッジにおいて、電子写真感光体ドラムと、電子写真感光体ドラムに作用するプロセス手段と、電子写真感光体ドラム又はプロセス手段を支持する複数の成形品を接合してなる枠体と、を有し、前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、近接あるいは当接した成形品間の対向面によって形成された隙間に樹脂を注入する際、溶融樹脂によって結合する部位は近接あるいは当接した成形品間の対向面によって形成された隙間全周でないことを特徴とするプロセスカートリッジである。


【手続補正８】
【補正対象書類名】明細書
【補正対象項目名】００２３
【補正方法】変更
【補正の内容】
【００２３】
本出願に係る第１０の発明はプロセスカートリッジを着脱可能で記録媒体に画像を形成する電子写真画像形成装置において、
ａ．電子写真感光体ドラムと、電子写真感光体ドラムに作用するプロセス手段と、電子写真感光体ドラム又はプロセス手段を支持する複数の成形品を接合してなる枠体と、を有し、前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成であって、前記結合部までの溶融樹脂の注入流路を結合した近接あるいは当接した成形品間の対向面によって形成された隙間を形成する各々の成形部品の一方が形成しているプロセスカートリッジを取り外し可能に装着する装着手段と、
ｂ．記録媒体を搬送するための搬送手段と、を有することを特徴とする電子写真画像形成装置である。


【手続補正９】
【補正対象書類名】明細書
【補正対象項目名】００２４
【補正方法】変更
【補正の内容】
【００２４】
本出願に係る第１１の発明はプロセスカートリッジを着脱可能で記録媒体に画像を形成する電子写真画像形成装置において、
ａ．電子写真感光体ドラムと、電子写真感光体ドラムに作用するプロセス手段と、電子写真感光体ドラム又はプロセス手段を支持する複数の成形品を接合してなる枠体と、を有し、前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、前記結合部までの溶融樹脂の注入流路を第三枠体、第四枠体が形成しているプロセスカートリッジを取り外し可能に装着する装着手段と、
ｂ．記録媒体を搬送するための搬送手段と、を有することを特徴とする電子写真画像形成装置である。


【手続補正１０】
【補正対象書類名】明細書
【補正対象項目名】００２５
【補正方法】変更
【補正の内容】
【００２５】
本出願に係る第１３の発明は画像形成装置本体に着脱可能なプロセスカートリッジを着脱可能で記録媒体に画像を形成する電子写真画像形成装置において、
ａ．電子写真感光体ドラムと、電子写真感光体ドラムに作用するプロセス手段と、電子写真感光体ドラム又はプロセス手段を支持する複数の成形品を接合してなる枠体と、を有し、前記枠体が、プラスチック射出成形により得られた少なくとも２つ以上の成形品を互いに近接あるいは当接させ仮結合を行い、その仮結合体を、各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、近接あるいは当接した成形品間の対向面によって形成された隙間に樹脂を注入する際、溶融樹脂によって結合する部位は近接あるいは当接した成形品間の対向面によって形成された隙間全周でないプロセスカートリッジを取り外し可能に装着する装着手段と、
ｂ．記録媒体を搬送するための搬送手段と、を有することを特徴とする電子写真画像形成装置である。


【手続補正１１】
【補正対象書類名】明細書
【補正対象項目名】００２６
【補正方法】変更
【補正の内容】
【００２６】
本出願に係る第１４の発明は画像形成装置本体に着脱可能なプロセスカートリッジを着脱可能で記録媒体に画像を形成する電子写真画像形成装置において、
ａ．電子写真感光体ドラムと、電子写真感光体ドラムに作用するプロセス手段と、電子写真感光体ドラム又はプロセス手段を支持する複数の成形品を接合してなる枠体と、を有し、前記枠体が、夫々成形品である第一の枠体と第二の枠体といった、少なくとも２種以上の枠体の各々一端側と他端側の側面を夫々成形品である第三枠体、第四枠体で互いに近接あるいは当接させ仮結合を行い、その仮結合体を各々の成形品を形成するにあたって用いた金型とは異なる型内にセットし、またその状態で各々の成形品と前記型とが位置決めされた状態でその近接あるいは当接した成形品間の対向面によって形成された隙間に溶融樹脂を注入し結合する構成において、近接あるいは当接した成形品間の対向面によって形成された隙間に樹脂を注入する際、溶融樹脂によって結合する部位は近接あるいは当接した成形品間の対向面によって形成された隙間全周でないプロセスカートリッジを取り外し可能に装着する装着手段と、
ｂ．記録媒体を搬送するための搬送手段と、を有することを特徴とする電子写真画像形成装置である。


【手続補正１２】
【補正対象書類名】明細書
【補正対象項目名】００９９
【補正方法】変更
【補正の内容】
【００９９】
実施の形態は、難燃剤未添加の材料を接合に用いる注入材料とすることにより、高流動でかつ難燃剤のガスが発生しないため、結合力も高い。
【手続補正１３】
【補正対象書類名】明細書
【補正対象項目名】０１００
【補正方法】変更
【補正の内容】
【０１００】
実施の形態は、近接あるいは当接した成形品間の対向面によって形成された隙間の樹脂流入部に樹脂の流れを妨げるリブを設けることにより、そこで樹脂を止めることができる。すなわち意図的に接合部を選定することが可能となる。
【手続補正１４】
【補正対象書類名】明細書
【補正対象項目名】０１０１
【補正方法】変更
【補正の内容】
【０１０１】
【発明の効果】
以上説明したように本出願に係る発明によると、
単体の成形品の外部から樹脂が注入する構成としているため、接合部の場所を近接あるいは当接した成形品間の対向面によって形成された隙間外周だけによらず、すなわち、接合場所を任意に設定が可能である。